(57)【要約】  無線通信において、再送を伴う場合において通信における実効スループットを上げることが難しかった。  再送パケットの送信処理アルゴリズムＳ１においては、まず、ステップＳ２において、移動局からの通知されたＡｃｋ／Ｎａｃｋ情報から、再送するパケットがあるか否かを確認する。再送するパケットがある場合は（Ｙｅｓ）、ステップＳ６に進み、移動局から通知される伝搬路情報からサブキャリア毎の変調方式・符号化率を算出する。次いで、ステップＳ７において、ステップＳ６で算出されたサブキャリア毎の変調方式・符号化率から送信パケットの送信ビット容量を算出する。ステップＳ８において、算出された送信ビット容量と再送パケット容量とを比較する。算出された送信ビット容量と再送パケット容量とを比較した結果、再送パケット容量が（送信ビット容量≧再送パケット容量≧送信ビット容量−α）の関係にある場合（Ｙｅｓ）、再送パケットを送信に適していると判断して、ステップＳ９においてパケット識別フラグに１をセットして再送パケットを送信する。送信パケット容量と再送パケット容量の比較は、全ての再送すべきパケットに対して行い、パケット番号が小さいパケットを優先して送信する。再送パケット容量が（送信ビット容量≧再送パケット容量≧送信ビット容量−α ）の関係にない場合（Ｎｏ）、ステップＳ１０に進み、算出された送信ビット容量と再送パケット群容量と比較する（複数の再送パケットがある場合）。ステップＳ１０の比較の結果、再送パケット容量が（送信ビット容量≧再送パケット群容量≧送信ビット容量−α）の関係にある場合（Ｙｅｓ）、再送パケットを送信に適していると判断して、ステップＳ１２に進み、パケット識別フラグに１をセットして再送パケット群を送信する。以上の場合以外は、再送パケットの送信に適さないと判断して（Ｎｏ）、ステップＳ１１に進み、新規データを算出された送信パケット容量になるようにパケット化し、パケット識別フラグに０をセットして新規パケットを送信する。【特許請求の範囲】
【請求項１】
サブキャリア適応変調により通信を行う無線通信システムであって、無線伝搬路情報に基づいてサブキャリア毎又はブロック毎に変調方式と符号化率とを決定して通信を行う無線通信システムに用いられる送信機において、
前記無線伝搬路情報から決定された前記変調方式と前記符号化率とに基づいて送信容量を算出し、算出された送信容量に基づいて送信対象として再送パケットと新規パケットとのいずれを送信するかを判定する再送判定手段を有することを特徴とする送信機。
【請求項２】
前記無線伝搬路情報に基づいて決定された前記変調方式と前記符号化率とから算出した送信容量と再送パケット容量とが近似していることを、再送パケットを送るための条件とすることを特徴とする請求項１に記載の送信機。
【請求項３】
前記送信容量が、前記再送パケットの送信に適している場合には、該再送パケットを優先して送信することを特徴とする請求項１又は２に記載の送信機。
【請求項４】
前記再送判定手段は、通信品質（Ｑｏｓ）に基づいて再送パケットの再送判定回数を決定することを特徴とする請求項１又は２に記載の送信機。
【請求項５】
前記再送判定手段は、ある再送遅延時間内に限って再送判定を行うことを特徴とする請求項１から４までのいずれか１項に記載の送信機。
【請求項６】
通信品質（Ｑｏｓ）に基づいて再送に関する判定間隔を変更することを特徴とする請求項２から５までのいずれか１項に記載の送信機。
【請求項７】
前記無線伝搬路情報に基づいて決定された前記変調方式と前記符号化率とから算出した送信容量と再送パケット容量とが近似していない場合において、再送パケット容量を分割し、分割されたうちのいずれかのパケット容量と前記送信容量とが近似していることを、再送パケットを送るための条件とすることを特徴とする請求項４に記載の送信機。
【請求項８】
複数の再送パケット又は再送パケットと新規パケットとを合成して送信することを特徴とする請求項１から７までのいずれか１項に記載の送信機。
【請求項９】
送信機と受信器とを備え、サブキャリア適応変調による無線通信システムであって、無線伝搬路情報に基づいてサブキャリア毎又はブロック毎に変調方式と符号化率とを決定して通信を行うＮ−チャネルストップ・アンド・ウェイト方式無線通信システムに用いられる送信機において、
前記無線伝搬路情報から決定された前記変調方式と前記符号化率とに基づいて送信容量を算出し、算出された送信容量に基づいて送信対象として再送パケットと新規パケットとのいずれにするかを判定する再送判定手段を有することを特徴とする送信機。
【請求項１０】
算出された送信容量に基づいて、再送信パケットの送信チャネルを入れ替える制御を行うことを特徴とする請求項９に記載の送信機。
【請求項１１】
前記パケットを複数合成して送信する制御を行うことを特徴とする請求項１から１０までのいずれか１項に記載の送信機。
【請求項１２】
再送パケットの変調方式・符号化率を決定する場合に、新規パケットの変調方式・符号化率を決定する閾値より低い閾値に設定して再送パケットの変調方式・符号化率を決定することを特徴とする請求項１から１１までのいずれか１項に記載の送信機。
【請求項１３】
前記無線通信システムがＮチャネルストップ・アンド・ウェイト方式である場合において、
前記再送判定手段が前記再送パケットを送信する場合に、チャネルを入れ替える制御を行うことを特徴とする請求項１に記載の無線通信システム。
【請求項１４】
請求項１から１２までのいずれか１項に記載の送信機と、該送信機と通信を行う受信機と、を有する無線通信システム。
【請求項１５】
基地局と移動局とを含み、サブキャリア適応変調により通信を行う無線通信システムにおける基地局であって、
送信データ容量を算出する送信データ容量算出部と、
以前送信したパケットのＡｃｋ／Ｎａｃｋ情報を送る制御情報処理部と、
新規送信データが入力される送信データ制御部であって、前記Ａｃｋ／Ｎａｃｋ情報と、算出された前記送信データ容量と、に基づいて、新規パケットと再送パケットとのいずれを送信するかを判定する送信データ制御部と、
送信する方のパケットを受けて伝搬路情報に基づく変調方式・符号化率でデータの変調・符号化を行うデータ処理部と、
該データ処理部からのデータを受けてデータ変調された信号を移動局に送信する無線送信部と
を有することを特徴とする基地局。
【請求項１６】
前記データ処理部が前記無線送信部にデータを渡す際に、移動局が無線区間の伝搬路推定を行う為のパイロットデータとデータに対する変調方式・符号化率とに関する情報をデータに付加することを特徴とする請求項１５に記載の基地局。
【請求項１７】
前記無線送信部は、データ変調された信号を無線周波数帯にアップコンバートし、各サブキャリアの送信電力を一定にして移動局に送信することを特徴とする請求項１５又は１６に記載の基地局。
【請求項１８】
前記送信データ制御部は、新規パケットを送信する場合に新規送信データをパケット化し、前記データ処理部に送るとともに、再送パケットを、再送処理の為にバッファに送り、
該バッファにおいて前記再送パケットを一時的に保存し、前記再送パケットを送信する場合には、前記送信データ制御部が前記バッファに保存されている再送データを抽出して前記データ処理部に送ることを特徴とする請求項１５から１７までのいずれか１項に記載の基地局。
【請求項１９】
さらに、前記制御情報処理部からのＡｃｋ／Ｎａｃｋ情報に基づいて、送信に成功した再送パケットを前記バッファから消去することを特徴とする請求項１８に記載の基地局。
【請求項２０】
基地局と移動局とを含み、サブキャリア適応変調により通信を行う無線通信システムにおける移動局であって、
基地局からのパケットデータに関する判定を行うパケット判定部であって、受信したパケットが正しいか否かを判定し、受信パケットが正しくない場合は、パケットを破棄するか又は再送パケットとの合成を行うためにバッファに一時保存しておくことを特徴とする移動局。
【請求項２１】
サブキャリア適応変調により通信を行う無線通信方法であって、
移動局からの通知されたＡｃｋ／Ｎａｃｋ情報から、再送するパケットがあるか否かを確認するステップと、
再送するパケットがある場合に、移動局から通知される伝搬路情報に基づいてサブキャリア毎又はブロック毎の変調方式・符号化率を算出するステップと、
算出されたサブキャリア毎の変調方式・符号化率から送信パケットの送信ビット容量を算出するステップと、
算出された送信ビット容量と再送パケット容量とを比較し、再送パケットを送信に適していると判断された場合に再送パケットを送信し、適していないと判断された場合に新規パケットを送信するステップと
を有することを特徴とする無線通信方法。
【請求項２２】
サブキャリア適応変調により通信を行う無線通信方法であって、
移動局からの通知されたＡｃｋ／Ｎａｃｋ情報から、再送するパケットがあるか否かを確認するステップと、
再送するパケットがある場合に、移動局から通知される伝搬路情報に基づいてサブキャリア毎又はブロック毎の変調方式・符号化率を算出するステップと、
算出されたサブキャリア毎の変調方式・符号化率から送信パケットの送信ビット容量を算出するステップと、
算出された送信ビット容量と再送パケット容量とを比較し、再送パケットを送信に適していると判断された場合に再送パケットを送信し、適していないと判断された場合に算出された送信ビット容量と再送パケット群の容量とを比較し、再送パケット群の送信に適していると判断された場合に再送パケット群を送信し、再送パケット群の送信に適していないと判断された場合に新規パケットを送信するステップと
を有することを特徴とする無線通信方法。
【請求項２３】
サブキャリア適応変調により通信を行う無線通信方法であって、
移動局からの通知されたＡｃｋ／Ｎａｃｋ情報から再送するパケットがあるか否かを確認するステップと、
再送するパケットがある場合は判定回数Ｎ＝１とし、移動局から通知される伝搬路情報からサブキャリア毎の変調方式・符号化率を算出するステップと、
算出されたサブキャリア毎の変調方式・符号化率から送信パケットの送信ビット容量を算出するステップと、
再送パケットの判定回数Ｎが繰り返し回数Ｘ以上の場合に、パケット識別フラグに１をセットして再送パケットを送信するステップと
を有することを特徴とする無線通信方法。
【請求項２４】
１回で送信できない場合は、パケットを分割して送るステップを含むことを特徴とする請求項２３に記載の無線通信方法。
【請求項２５】
１回で送信できない場合は、初回の変調方式・符号化率で送信するなどの１回で送信するステップを含むことを特徴とする請求項２３に記載の無線通信方法。
【発明の詳細な説明】
【技術分野】
【０００１】
本発明は、無線通信技術に関し、特に、無線伝搬路状態に基づいて変調方式や符号化率などを適応的に変化させる通信システムにおけるパケット再送制御技術に関する。
【背景技術】
【０００２】
現在、高速移動体通信の分野において、無線基地局と無線移動局との間の無線伝搬路状態に応じて、サブキャリア毎に変調方式・符号化率（ＭＣＳ：Ｍｏｄｕｌａｔｉｏｎ  ａｎｄ  Ｃｏｄｅ  Ｓｃｈｅｍｅ、以下、「ＭＣＳ」と称する。）を制御することにより伝送効率を高め、高スループットの通信を提供する適応変調方式の研究・開発が行われている。さらに、高スループットの通信を実現するために、Ｈ−ＡＲＱのような再送方法が検討されている。【０００３】
このような無線伝搬路状態に基づいてサブキャリア毎に適応変調させるサブキャリア適応変調による通信方式では、基地局は周期的に無線伝搬路の状態により変調方式・符号化率を変化させるために送信パケット毎にデータ容量が異なる。送信毎のパケット容量が異なるため、基地局から送信されたパケットに関して、移動局側で受信に失敗した場合に再送される再送パケットのサイズ（パケット容量）も、無線伝搬環境により異なってしまう。再送パケットを初回送信パケットと同じパケット容量で再送しようとすると、初回送信パケットと同様の変調方式、符号化率で送信することになる。図１６に、このような一般的な再送方法を示す図である。図１６に示すように、基地局から例えばＱＰＳＫで送信された２００ビットのパケット（１）の受信に移動局が失敗した場合に（パケット１失敗）、ＮＡＣＫを返すことにより失敗した旨を基地局に知らせる。ＮＡＣＫを受け取った基地局は、同じパケット（１）を移動局に対して再送しようとする。この場合に、同じＱＰＳＫで２００ビットのパケット１を送信しようとする。このような場合に、無線伝搬路状態の変化が生じる可能性があり、ＱＰＳＫで２００ビットのパケット１が再送時の無線伝搬路に適した変調方式・符号化率でないことにより再度の送信パケットも受信側で受信失敗になってしまう可能性も高い。【０００４】
そこで、初回送信時と同じ条件ではなく、再送時における無線伝搬環境に応じて、必要に応じて、変調方式・符号化率を初回送信時とは変化させて再送パケットを送信することが望ましい。しかながらし、無線伝搬環境に応じて変調方式・符号化率を変化させるため、再送時の送信パケット容量が初回送信時の送信パケット容量と異なる場合が多くなる。図１７は、特許文献１にかかる再送パケットの送信方法を示す図である。図１７に示すように、特許文献１では、送信ＱＰＳＫ（２００ビット）のパケット１の受信に失敗した基地局は、パケット１を、ＢＰＳＫ（１００ビット）パケット（１／２）とＢＰＳＫパケット（２／２）とに分割し、２回に分けて移動局に送信している。このように、再送時の送信パケット容量が少ない場合に関しては、再送パケットを複数に分割して送信する方法が提案されている。
【特許文献１】特開２００４−３４９８８４号公報
【発明の開示】
【発明が解決しようとする課題】
【０００５】
しかしながら、図１７に示す特許文献１の技術のように、再送時に無線伝播環境により送信パケット容量が少ないと算出された場合おいて、初回パケットを複数個に分割して数回に分けて再送した時に、例えば図１８に示すように再送パケットを分割して送ろうとする場合に、無線伝搬環境が変化していることに起因して、例えば分割された２番目の再送パケット２（２／２）を送信する時の無線伝搬環境により初回パケット容量分（２００ビット）を送信できる状態になる場合がある。このような場合でも、１番目の再送パケット（１／２）を既に送っているために、２番目の再送パケット（２／２）においては残りのデータ容量分のみを再送パケットとして送信すれば十分になっているため、結果として２番目の再送パケット（２／２）の能力を十分に生かしていないことになる。【０００６】
逆に、図１９に示すように、送信パケット容量が初回パケット（ＱＰＳＫ：２００ビット）に比べて十分に大きい場合においても（この場合では、１６ＱＡＭ：４００ビット）、再送パケットは初回パケット容量分のみだけを送信するため、伝送効率が悪く、スループットが上らなかった。【０００７】
加えて、図２０に示すように、Ｎ−ｃｈａｎｎｅｌ  Ｓｔｏｐ  ａｎｄ  Ｗａｉｔ方式（失敗した場合にＮチャネル後に再送する方式）を利用した再送方法では、パケットを分割してしまうと、再送パケットの送信完了までに必要な送信時間間隔が大きくなりすぎて、伝送遅延が大きくなってしまうという問題がある。【０００８】
本発明は、無線通信において、再送を伴う場合において通信における実効スループットを上げることを目的とする。
【課題を解決するための手段】
【０００９】
本発明によれば、無線伝搬路情報から送信パケット容量を算出し、送信パケット容量と再送パケット容量から、新規パケットと再送パケットを送信するかどうかを判定し、判定に基づいて、送信パケット容量と近似させるように、再送パケットの送信を含むパケット送信に関する適正なスケジューリングを行う。適正なスケジューリングを行う場合に、再送パケットの分割などの処理を行うことも考慮する。【００１０】
すなわち、本発明の一観点によれば、サブキャリア適応変調により通信を行う無線通信システムであって、無線伝搬路情報に基づいてサブキャリア毎又はブロック毎に変調方式と符号化率とを決定して通信を行う無線通信システムに用いられる送信機において、前記無線伝搬路情報から決定された前記変調方式と前記符号化率とに基づいて送信容量を算出し、算出された送信容量に基づいて送信対象として再送パケットと新規パケットとのいずれを送信するかを判定する再送判定手段を有することを特徴とする送信機が提供される。【００１１】
一形態によれば、前記無線伝搬路情報に基づいて決定された前記変調方式と前記符号化率とから算出した送信容量と再送パケット容量とが近似していることを、再送パケットを送るための条件とすることを特徴とする。また、前記送信容量が、前記再送パケットの送信に適している場合には、該再送パケットを優先して送信することを特徴とする。【００１２】
前記再送判定手段は、通信品質（Ｑｏｓ）に基づいて再送パケットの再送判定回数を決定することを特徴とする。通信品質が高い場合には、再送判定回数を小さくして、処理の煩雑さを低減することができる。【００１３】
前記再送判定手段は、ある再送遅延時間内に限って再送判定を行うことを特徴とする。パケットの再送に関する処理をいつまでも継続することが処理を煩雑にすることを防止する。【００１４】
通信品質（Ｑｏｓ）に基づいて再送に関する判定間隔を変更することが好ましい。通信品質が良くなった場合には、判定間隔を短くして早めに再パケットを送る。  
【発明の効果】
【００１５】
無線伝搬路情報から送信パケット容量を算出し、送信パケット容量と再送パケット容量から、新規パケットまたは再送パケットを送信するかどうか判定し、最適なパケットスケジューリングを行うことにより、再送パケットを含む送信に関する適正化が可能となり、無線通信における実効スループットが向上するという利点がある。
【図面の簡単な説明】
【００１６】
【図１】本発明の第１の実施の形態による無線通信システムに属する基地局のシステム構成例を示す機能ブロック図である。
【図２】本発明の第１の実施の形態による無線通信システムに属する移動局のシステム構成例を示す機能ブロック図である。
【図３】基地局から移動局へパケットが送られた場合のパケットの構成例を示す図である。
【図４】移動局から基地局へパケットが送られた場合のパケットの構成例を示す図である。
【図５】本実施の形態による再送パケット送信処理アルゴリズムを示すフローチャート図である。
【図６Ａ】本実施の形態による再送パケット送信処理アルゴリズムを示すフローチャート図である。
【図６Ｂ】図６Ａに続く本実施の形態による再送パケット送信処理アルゴリズムを示すフローチャート図である。
【図７】パケット再送例を示す図である。
【図８】パケット再送例を示す図である。
【図９】パケット再送例を示す図である。
【図１０】パケット再送例を示す図である。
【図１１】パケット再送例を示す図である。
【図１２】本発明の第２の実施の形態によるパケット再送例（Ｎ−Ｃｈａｎｎｅｌ  Ｓｔｏｐ  ａｎｄ  Ｗａｉｔ）を示す図である。
【図１３】本発明の第１の実施の形態による基地局の送信データ制御部の構成例を示す機能ブロック図である。
【図１４】本発明の第２の実施の形態による基地局の送信データ制御部の構成例（Ｎ−Ｃｈａｎｎｅｌ  Ｓｔｏｐ  ａｎｄ  Ｗａｉｔ）を示す機能ブロック図である。
【図１５Ａ】本発明の第２の実施の形態による再送パケット送信処理アルゴリズム（Ｎ−Ｃｈａｎｎｅｌ  Ｓｔｏｐ  ａｎｄ  Ｗａｉｔ）を示す図である。
【図１５Ｂ】図１５Ａに続く、本発明の第２の実施の形態による再送パケット送信処理アルゴリズム（Ｎ−Ｃｈａｎｎｅｌ  Ｓｔｏｐ  ａｎｄ  Ｗａｉｔ）を示す図である。
【図１６】従来のパケット再送例を示す図である。
【図１７】従来のパケット再送例を示す図である。
【図１８】従来のパケット再送例を示す図である。
【図１９】従来のパケット再送例を示す図である。
【図２０】従来例のパケット再送例（Ｎ−Ｃｈａｎｎｅｌ  Ｓｔｏｐ  ａｎｄ  Ｗａｉｔ）を示す図である。
【符号の説明】
【００１７】
Ａ…基地局は、１…送信データ制御部、３…データ処理部、５…バッファ、７…パイロット生成部、１１…送信データ容量算出部、１５…ＭＣＳ割り当て部、１７…制御情報処理部、２１…伝搬路情報処理部、２３…上がりリンク受信処理部、２５…無線送信部、２７…無線受信部、ＡＴ１…アンテナ。
【発明を実施するための最良の形態】
【００１８】
本明細書は、２００５年５月１６日に日本国特許庁に出願された特許出願（出願番号２００５−１４２２２７号）を基礎出願とする優先権主張出願であり、基礎出願の内容は、本願明細書の内容として取り込むことができるものとする。【００１９】
本明細書において、新規パケットとは初めて送るパケットであり、再送パケットとは前に１回以上送っているパケットを指す。【００２０】
以下に、本発明の第１の実施の形態による無線通信技術について図面を参照しつつ説明を行う。図１、２は、本発明の形態による無線通信技術に用いられる無線通信システムのシステム構成例を示す機能ブロック図である。図１は基地局の構成例を、図２は移動局の構成例を示す図である。【００２１】
図１に示すように、基地局Ａは、送信データ制御部１と、データ処理部３と、バッファ５と、パイロット生成部７と、送信データ容量算出部１１と、ＭＣＳ割り当て部１５と、制御情報処理部１７と、伝搬路情報処理部２１と、上がりリンク受信処理部２３と、無線送信部２５と、無線受信部２７と、アンテナＡＴ１と、を有している。【００２２】
図１に示す構成を有する基地局Ａにおいては、新規送信データは送信データ制御部１に入力される。送信データ制御部１は、送信データ容量算出部１１から指示される送信データ容量と、制御情報処理部１７からの以前送信したパケットのＡｃｋ／Ｎａｃｋ情報から新規パケットと再送パケットとを送信するか否かを判定し、新規パケットを送信する場合に新規送信データをパケット化し、データ処理部３に送る。そして、パケット化されたデータを、再送処理の為にバッファ５に一旦保存する。再送パケットを送信する場合には、送信データ制御部１がバッファ５に保存されている再送データを抽出し、データ処理部３に送る。【００２３】
また、制御情報処理部１７からのＡｃｋ／Ｎａｃｋ情報に基づいて、送信に成功したパケットのデータをバッファ５から消去する。データ処理部３はＭＣＳ割当部５から指示された変調方式・符号化率でデータの変調・符号化を行い、無線送信部２５に渡す。また、この時、移動局が無線区間の伝搬路推定を行う為のパイロットデータとデータに対する変調方式・符号化率に関する情報をデータに付加する。無線送信部２５では、データ変調された信号を無線周波数帯にアップコンバートし、各サブキャリアの送信電力を一定にして移動局に送信する。【００２４】
無線受信部２７では、移動局から送信された無線信号をＩＦ周波数帯にダウンコンバートして、上りリンク受信処理部２３に渡す。上りリンク受信処理部２３では、データ変調された信号を復調し、受信データ、伝搬路推定情報、制御情報に分け、伝搬路推定情報は伝搬路情報処理部２１へ、制御情報は制御情報処理部１７に送り、受信データは上位層に渡す。伝搬路情報処理部２１は伝搬路推定情報をＭＣＳ割当部１５が行うサブキャリア毎のＭＣＳの決定の為の伝搬路データに変換してＭＣＳ割当部１５に送る。ＭＣＳ割当部１５では伝搬路データからサブキャリア毎にＭＣＳを決定し、決定されたＭＣＳによりデータ処理部３を制御する。また、決定したＭＣＳ情報を送信データ容量算出部１１に送る。送信データ容量算出部１１では、ＭＣＳ情報から送信データ容量を算出し、送信データ制御部１に算出結果を渡す。制御情報処理部１１では、制御情報の中から送信パケットのＡｃｋ／Ｎａｃｋ情報を抽出し、送信データ制御部１に渡す。【００２５】
ここで、送信データ処理部３について図１３を参照しつつ詳細に説明する。図１及び図１３に示すように、本実施の形態による送信データ処理部３は、パケット処理部３−１と、再パケット化部３−２と、新規／再送パケット判定部３−３と、パケット管理部３−４と、を有している。図１３に示すパケット管理部３−４は、制御情報処理部１７からのＡｃｋ／Ｎａｃｋ情報を元に再送パケットの有／無、再送パケットのパケット番号、データサイズを、新規／再送パケット判定部３−３に通知する。また、バッファ５から送信成功のパケットのデータを消去するか、再送パケットのデータサイズを調べる。新規／再送パケット判定部３−３は、パケット管理部３−４からの再送パケット情報と送信データ容量算出部１１からのデータサイズ情報から新規パケットを送信するか再送パケットを送信するかに関する判定を行う。【００２６】
新規パケットを送信する場合は、パケット化部３−１にデータサイズ情報を送り、新規データをパケット化するように指示をする。再送パケットを送信する場合は、バッファ５から再送パケットデータを送出するように指示する。パケット化部３−１は、新規／再送パケット判定部３−３からの指示により新規データのパケット化を行い、データ処理部に送る。また、パケット化したデータをバッファ６に保存する。再パケット化部３−２は、バッファからの再送パケットデータを再パケット化し、データ処理部３に送る。【００２７】
図２は、移動局の構成例を示す機能ブロック図である。図２に示すように、本実施の形態による無線通信システムにおける移動局Ｂは、基地局からの信号を受信するアンテナＡＴ２と、無線受信部３１と、制御情報・データ分離部３３と、データ処理部３５と、ＭＣＳ制御部３７と、パケット判定部４１と、伝搬路情報作成部４５と、無線送信部４８と、上りリンク送信処理部４７と、を有している。【００２８】
無線受信部３１で、基地局（Ａ）からの無線信号を受信し、無線周波数帯の無線信号をＩＦ周波数帯にダウンコンバートし、データ変調された信号を制御情報・データ分離部３３に送る。制御情報・データ分離部３３では、データ部と制御情報とに分離し、データ部はデータ処理部３５に送り、制御情報の変調方式・符号化率の情報はＭＣＳ制御部３７に送り、パイロットデータは伝搬路情報作成部４５に送る。データ処理部３５では、ＭＣＳ制御部３７からの指示に従って復調処理を行いパケットデータに戻し、パケット判定部４１に渡す。パケット判定部４１は、受信したパケットが正しいか否かを判定し、成否情報を上りリンク送信処理部４７に送る。受信したパケットが正しい場合は、上位層にデータを送る。受信パケットが正しくない場合は、パケットを破棄するか、または、再送パケットとの合成を行うためにバッファ５（図１）に保存しておく。【００２９】
伝搬路情報作成部４５では、パイロットデータから基地局、移動局間の伝搬路を推定し、伝搬路推定結果を上りリンク送信処理部４７に送る。上りリンク送信処理部４７では、送信データに対して伝搬路推定結果と受信パケットのＡｃｋ／Ｎａｃｋ情報を付加してデータ変調を行い、無線送信部４８に渡す。ここで、データ変調された信号を無線周波数帯にアップコンバートして基地局に送る。尚、基地局受信側および移動局送信側の上りリンクの通信制御に関しては、適応変調制御を用いなくてもよい。【００３０】
図３は、基地局から移動局に対して送信されるパケットフレームの構成例を示す図である。図３に示すように、パケットフレーム５０の先頭には、移動局が伝搬路推定を行う為のパイロット信号５１が配置され、次にサブキャリア毎の変調方式・符号化率情報５３が配置され、新規／再送パケットを判定するパケット判定フラグ５５が配置され、次いで、パケット番号５７、データ５８ａの順に配置される。再送パケットにおいて、複数パケットを組み合わせて送信する場合は、パケット番号５９とデータ５８ｂとが更に続いて配置される。【００３１】
図４は、移動局から基地局に対して送信されるパケットフレームの構成例を示す図である。図４に示すように、パケットフレーム６０の先頭には、移動局が推定した伝搬路推定情報６１が配置され、次に、Ａｃｋ／Ｎａｃｋ情報６３、データ６５が順に配置されて構成される。尚、Ａｃｋ、Ｎａｃｋの判定は、移動局からの通知による判定方法の他に、タイマー処理によっても判定することもできる。タイマー処理による方法は、ある時間を経過してもＡｃｋが返らない場合には、Ｎａｃｋであると判定する方法を含む。【００３２】
次に、再送パケットの送信処理アルゴリズムを以下に説明する。図５は、再送パケットの送信処理のアルゴリズムを示すフローチャート図である。再送パケットの送信処理アルゴリズムＳ１においては、まず、ステップＳ２において、移動局からの通知されたＡｃｋ／Ｎａｃｋ情報から、再送するパケットがあるか否かを確認する。再送するパケットがある場合は（Ｙｅｓ）、ステップＳ６に進み、移動局から通知される伝搬路情報からサブキャリア毎の変調方式・符号化率を算出する。次いで、ステップＳ７において、ステップＳ６で算出されたサブキャリア毎の変調方式・符号化率から送信パケットの送信ビット容量を算出する。ステップＳ８において、算出された送信ビット容量と再送パケット容量とを比較する。算出された送信ビット容量と再送パケット容量とを比較した結果、再送パケット容量が（送信ビット容量≧再送パケット容量≧送信ビット容量−α）の関係にある場合（Ｙｅｓ）、再送パケットを送信に適していると判断して、ステップＳ９においてパケット識別フラグに１をセットして再送パケットを送信する。送信パケット容量と再送パケット容量の比較は、全ての再送すべきパケットに対して行い、パケット番号が小さいパケットを優先して送信する。再送パケット容量が（送信ビット容量≧再送パケット容量≧送信ビット容量−α）の関係にない場合（Ｎｏ）、ステップＳ１０に進み、算出された送信ビット容量と再送パケット群容量と比較する（複数の再送パケットがある場合）。ステップＳ１０の比較の結果、再送パケット容量が（送信ビット容量≧再送パケット群容量≧送信ビット容量−α）の関係にある場合（Ｙｅｓ）、再送パケットを送信に適していると判断して、ステップＳ１２に進み、パケット識別フラグに１をセットして再送パケット群を送信する。以上の場合以外は、再送パケットの送信に適さないと判断して（Ｎｏ）、ステップＳ１１に進み、新規データを算出された送信パケット容量になるようにパケット化し、パケット識別フラグに０をセットして新規パケットを送信する。【００３３】
以上の処理を再送パケットが存在する間繰り返す。ステップＳ２において再送パケットがないと判断された場合（Ｎｏ）は、ステップＳ３、Ｓ４に進み、算出されたサブキャリア毎の変調方式・符号化率から送信パケットの送信ビット容量を算出する。新規データを算出された送信パケット容量になるようにパケット化し、パケット識別フラグに０をセットして新規パケットを送信する（ステップＳ５）。ステップＳ９、Ｓ１２、Ｓ５から終了（ステップＳ１３）に進む。【００３４】
次に、具体的な例について図７から図９までを参照しつつ説明する。ここでは、１００本のサブキャリアを１ブロックとして適応変調している場合を例にして説明する。【００３５】
図７に示すように、基地局からパケット１がＱＰＳＫ分（２００ｂｉｔ）で送信され、移動局で受信失敗の判定がなされると、移動局は基地局に対してＮａｃｋ情報を通知する。パケット１のＮａｃｋ情報を受け取った基地局は、パケット１が再送パケットとして存在するため、移動局からの伝搬路推定情報からサブキャリア毎の変調方式・符号化率を算出し、算出された変調方式符号化率から次に送信するパケットの送信ビット容量を算出する。パケット３送信後に再送パケット１を送信するか否かを判定する。この時、送信パケットの送信ビット容量がＢＰＳＫ分（１００ｂｉｔ）であるため、パケット３の送信後には新規パケット４を送信するものと判断してパケット４を送信する。【００３６】
次に、同様にして送信ビット容量を算出し、パケット４の送信後に再送パケット１を送信するか否かを判定する。送信パケットの送信ビット容量がＱＰＳＫ分（２００ｂｉｔ）であるため、パケット４の送信後には再送パケット１を送信することができると判断して実際に再送パケット１（ＱＰＳＫ、２００ビット）を移動局に対して送信する。【００３７】
このように、各送信機会において送信ビットの容量と再送パケットの容量とに基づいて、再送パケットを送るか新規パケットを送るかを判断することができる。【００３８】
次に、図８を参照しつつ、パケット再送例について説明する。図８に示すように、まず、基地局からパケット１がＱＰＳＫ分（２００ｂｉｔ）で送信され、移動局で受信失敗の判定がされると、移動局は基地局にＮａｃｋ情報を通知する。パケット１のＮａｃｋ情報を受け取った基地局は、パケット１が再送パケットとして存在するため、移動局からの伝搬路推定情報からサブキャリア毎の変調方式・符号化率を算出し、算出された変調方式符号化率に基づいて、次に送信するパケットの送信ビット容量を算出する。パケット３を送信した後に、再送パケット１を送信するか否かについて判定する。この時の送信パケットの送信ビット容量がＢＰＳＫ分（４００ｂｉｔ）であるため、パケット３の送信後には新規パケット４を送信すると判断して新規パケット４を送信する。【００３９】
次に、同様にして送信ビット容量を算出し、パケット４の送信後に、再送パケット１を送信するか否かを判定する。この場合には、送信パケットの送信ビット容量がＱＰＳＫ分（２００ｂｉｔ）であるため、新規パケット４の送信後には再送パケット１を送信すると判断して再送パケット４を送信する。【００４０】
次に、図９を参照しつつ、別のパケット送信例について説明を行う。図９に示すように、基地局からパケット１がＱＰＳＫ分（２００ｂｉｔ）で送信され、移動局で受信失敗の判定がされ、移動局は基地局にＮａｃｋ情報を通知する。パケット１のＮａｃｋ情報を受け取った基地局は、パケット１が再送パケットとして存在するため、移動局からの伝搬路推定情報からサブキャリア毎の変調方式・符号化率を算出し、算出された変調方式符号化率から次に送信するパケットの送信ビット容量を算出する。パケット３を送信した後に再送パケット１を送信するか否かを判定する。この時の送信パケットの送信ビット容量が１６ＱＡＭ分（４００ｂｉｔ）であるため、パケット３の送信後には新規パケット４を送信すると判断して新規パケット４を送信する。新規パケット４送信時に、同様にパケット２についてもＮａｃｋ情報を受信したとする。この場合にも、同様にして送信ビット容量を算出し、新規パケット４の送信後に、再送パケット１と再送パケット２とのいずれを送信するかについて判定を行う。送信パケットの送信ビット容量が１６ＱＡＭ分（４００ｂｉｔ）であるため、再送パケット１のみ又は再送パケット２のみの送信では余力がありすぎるため、再度、再送パケット１及び再送パケット２を送信するか否かについて判定する。送信パケットの送信ビット容量が１６ＱＡＭ分（４００ｂｉｔ）であるため、パケット１、パケット２を組み合わせて送信が可能であると判断されるため、新規パケット４の送信後には、再送パケット１と再送パケット２とを送信すると判断し、実際に１回の送信で再送パケット１と再送パケット２とを送信することができる。このように、１回のパケット送信で複数の再送パケットを送信することも通信路の状況次第では判断における選択肢となる。【００４１】
上述の図５に示したアルゴリズムでは、再送遅延を考慮していなかった。そこで、再送パケットの判定処理をＮ回に制限した場合における再送処理遅延を考慮した再送パケットの送信処理アルゴリズムについて図６Ａ、図６Ｂを参照しつつ説明を行う。【００４２】
図６Ａ，Ｂに示すように、再送パケット送信アルゴリズムＳ２１では、まず、ステップＳ２２において、移動局からの通知されたＡｃｋ／Ｎａｃｋ情報から再送するパケットがあるか否かを確認する。ステップＳ２２において再送するパケットがある場合は（Ｙｅｓ）は、ステップＳ２６に進み、判定回数Ｎ＝１とする。次いで、ステップＳ２７に進み、移動局から通知される伝搬路情報からサブキャリア毎の変調方式・符号化率を算出する。次いで、ステップＳ２８に進み、算出されたサブキャリア毎の変調方式・符号化率から送信パケットの送信ビット容量（データサイス）を算出する。次に、ステップＳ２９において、再送パケットの判定回数Ｎをチェックする。判定回数Ｎが繰り返し回数Ｘ以上の場合は（Ｎｏ）、ステップＳ３２に進みパケット識別フラグに１をセットして再送パケットを送信する。１回で送信できない場合は、パケットを分割して送るか、又は、初回の変調方式・符号化率で送信するなどの１回で送信する方法をとる。【００４３】
ステップＳ２９の判定において、判定回数Ｎが繰り返し回数Ｘ未満の場合は（Ｙｅｓ）、ステップＳ３０に進み、算出された送信ビット容量と再送パケット容量とを比較する。比較した結果、再送パケット容量が（送信ビット容量≧再送パケット容量≧送信ビット容量−α）の関係にある場合は再送パケットを送信に適していると判断して（Ｙｅｓ）、ステップＳ３１においてパケット識別フラグに１をセットし、ステップＳ３２において再送パケットを送信する。【００４４】
ステップＳ３０における送信パケット容量と再送パケット容量との比較ステップは、全ての再送すべきパケットに対して行い、パケット番号が小さいパケットを優先的に送信する。再送パケット容量が（送信ビット容量≧再送パケット容量≧送信ビット容量−α ）の関係にない場合Ｎｏ）、ステップＳ３３進み、算出された送信ビット容量と再送パケット群容量とを比較する（複数の再送パケットがある場合）。比較した結果、再送パケット容量が（送信ビット容量≧再送パケット群容量≧送信ビット容量−α）の関係にある場合、再送パケットを送信に適していると判断して、ステップＳ３４に進み（Ｙｅｓ）、パケット識別フラグに１をセットして再送パケット群を送信する。以上の場合以外は、再送パケットの送信に適さないと判断して、新規データを算出された送信パケット容量になるようにパケット化し、新規パケットの送出時（S３６）パケット識別フラグに０をセットして新規パケットを送信する。以上を再送パケットが存在する間は繰り返す。【００４５】
ステップＳ２２において再送パケットがない場合は（Ｎｏ）、ステップＳ２３に進み、算出されたサブキャリア毎の変調方式・符号化率から送信パケットの送信ビット容量を算出する。次いで、ステップＳ２４において新規データを算出された送信パケット容量になるようにパケット化し、パケット識別フラグに０をセットしてステップＳ２５において新規パケットを送信する。【００４６】
尚、再送パケットの判定処理をＮ回は、データのＱｏｓを考慮してデータ毎に可変にすることも可能である。【００４７】
この点について、図１０及び図１１を参照しつつ具体的に説明する。この時の判定繰り返し回数Ｘは３として説明する。図１０に示すように、基地局からパケット１がＱＰＳＫ分（２００ｂｉｔ）で送信され、移動局で受信失敗の判定がなされると、移動局は基地局に対してＮａｃｋ情報を通知する。パケット１のＮａｃｋ情報を受け取った基地局は、パケット１が再送パケットとして存在するので、移動局からの伝搬路推定情報からサブキャリア毎の変調方式・符号化率を算出し、算出された変調方式符号化率から次に送信するパケットの送信ビット容量を算出する。そして、再送の判定回数が初回（1回目）であるので、パケット３を送信した後に再送パケット１を送信するか否かを判定する。この時の送信パケットの送信ビット容量がＢＰＳＫ分（１００ｂｉｔ）であるため、パケット３の送信後には新規パケット４を送信するものと判断して実際にパケット４を送信する。パケット４の送信後に、同様にして送信ビット容量を算出し、再送パケット１を送信するか否かを判定する。送信パケットの送信ビット容量がＱＰＳＫ分（２００ｂｉｔ）であるため、新規パケット４の送信後には、再送パケット１を送信すると判断して再送パケット１を送信する。【００４８】
次いで、図１１を参照しつつ説明を行う。基地局からパケット１がＱＰＳＫ（２００ｂｉｔ）で送信され、移動局で受信失敗の判定がされると、移動局は基地局に対してＮａｃｋ情報を通知する。パケット１のＮａｃｋ情報を受け取った基地局は、パケット１が再送パケットとして存在するため、移動局からの伝搬路推定情報に基づいてサブキャリア毎の変調方式・符号化率を算出し、算出された変調方式符号化率から次に送信するパケットの送信ビット容量を算出する。そして、再送の判定回数が初回（1回目）であるので、パケット３の送信後に再送パケット１を送信するか否かを判定する。この時の送信パケットの送信ビット容量が１６ＱＡＭ分（４００ｂｉｔ）であるため、パケット３の送信後には新規パケット４を送信すると判断し新規パケット４を送信する。次にパケット４の送信後に、同様にして送信ビット容量を算出し、再送パケット１を送信するか否かを判定する。送信パケットの送信ビット容量が１６ＱＡＭ分（４００ｂｉｔ）であるため、パケット４の送信後には新規パケット５を送信すると判断して新規パケット５を送信する。パケット５の送信後に、同様にして送信ビット容量を算出する。判定回数が３回目となり、この時の送信ビット容量は１６ＱＡＭ分であるにもかかわらず判定繰り返し回数と一致するため、再送パケットを送信する。【００４９】
このように、再送パケットを送信する基準として、判定繰り返し回数を用いても良い。【００５０】
次に、本発明の第２の実施の形態による再送制御技術について図面を参照しつつ説明を行う。本実施の形態による再送制御技術は、Ｎ−Ｃｈａｎｎｅｌ  Ｓｔｏｐ  ａｎｄ  Ｗａｉｔ方式を適用したものである。【００５１】
図１４は、Ｎ−Ｃｈａｎｎｅｌ  Ｓｔｏｐ  ａｎｄ  Ｗａｉｔ方式における送信データ処理部の構成例を示す図であり、基地局の送信データ処理部３の構成について、説明を行う。図１４に示すように、送信データ処理部３は、パケット化部３−１と、再パケット化部３−２と、新規／再送パケット判定部３−３と、パケット管理部３−４と、チャネル制御部３−５と、を有している。再パケット化部３−２は、バッファ５と接続されている。【００５２】
パケット管理部３−４は、制御情報処理部からのＡｃｋ／Ｎａｃｋ情報に基づいて、再送パケットの有無と、再送パケットのパケット番号と、データサイズとを、新規／再送パケット判定部３−３に通知する。また、バッファ５から送信成功のパケットのデータを消去するか、再送パケットのデータサイズを調べる。【００５３】
新規／再送パケット判定部３−３は、パケット管理部３−４からの再送パケット情報と送信データ容量算出部からのデータサイズ情報とに基づいて、新規パケットを送信するか再送パケットを送信するかについて判定する。【００５４】
新規パケットを送信する場合には、パケット化部３−１にデータサイズ情報を送り、新規データをパケット化するように指示を行う。再送パケットを送信する場合は、バッファ５から再送パケットデータを送出するように指示する。また、判定結果をチャネル制御部３−５に送る。パケット化部３−１は、新規／再送パケット判定部３−３からの指示により新規データのパケット化を行い、チャネル制御部３−５に送る。また、パケット化したデータをバッファ５に保存する。【００５５】
再パケット化部３−２は、バッファ５からの再送パケットデータを再パケット化し、チャネル制御部３−５に送る。チャネル制御部３−５は、パケット化部３−１からのデータにチャネル情報を付加するとともに、新規／再送パケット判定部３−３からの情報からチャネル入れ替えの制御を行う。【００５６】
図１５Ａ、図１５Ｂは、本実施の形態によるＮ−Ｃｈａｎｎｅｌ  Ｓｔｏｐ  ａｎｄ  Ｗａｉｔ方式の再送パケットの送信処理アルゴリズムを示す図である。以下に、再送パケットの送信処理アルゴリズム（Ｓ４１）について説明する。まず、ステップＳ４２において、移動局から通知されるＡｃｋ／Ｎａｃｋ情報から再送するパケットがあるかどうか確認する。ステップＳ４２において、Ｘ−ＣＨで再送する再送パケットがある場合は（Ｙｅｓ）、ステップＳ４６に進み、移動局から通知されたＸ−ＣＨの伝搬路情報から次のＸ−ＣＨのサブキャリア毎の変調方式・符号化率を算出する。ステップＳ４３において、算出されたサブキャリア毎の変調方式・符号化率から、次のＸ−ＣＨの送信パケットの送信ビット容量（データサイズ）を算出する。ステップＳ４８において、算出された送信ビット容量と再送パケット容量とを比較する。ステップＳ４８における比較の結果、再送パケット容量が（送信ビット容量≧再送パケット容量≧送信ビット容量−α）の関係にある場合は、再送パケットの送信に適していると判断して（Ｙｅｓ）、パケット識別フラグに１をセットし、ステップＳ４９においてＸ−ＣＨで再送パケットを送信する。再送パケット容量が（送信ビット容量≧再送パケット容量≧送信ビット容量−α ）の関係にない場合は（Ｎｏ）、ステップＳ５０に進み、算出されている（Ｘ−１）−ＣＨの送信ビット容量と再送パケット容量を比較する。比較した結果、再送パケット容量が（（Ｘ−１）−ＣＨの送信ビット容量≧再送パケット容量≧（Ｘ−１）−ＣＨの送信ビット容量−α）の関係にある場合は（Ｙｅｓ）、再送パケットを送信に適していると判断して、パケット識別フラグに１をセットし、ステップＳ５１において（Ｘ−１）−ＣＨのタイミングで再送パケットを送信する。また、ステップＳ５２において、（Ｘ−１）−ＣＨの新規パケットをＸ−ＣＨのタイミングで送信できるよう再パケット化し、Ｓ５３において、Ｘ−ＣＨで（Ｘ−１）−ＣＨの新規パケットを送出する。【００５７】
（Ｘ−１）−ＣＨの送信ビット容量≧再送パケット容量≧（Ｘ−１）−ＣＨの送信ビット容量−α）の関係にない場合は（Ｎｏ）、ステップＳ５４に進み、（Ｘ−１）−ＣＨで（Ｘ−１）−ＣＨの新規パケットを送信する。次いで、ステップＳ５５において、伝搬路情報から（Ｘ＋１）−ＣＨで送信する送信ビット容量を算出し、ステップＳ５６においてサブキャリア毎の変調・符号化方式から送信パケットのデータサイズを算出する。次いで、ステップＳ５７において、（Ｘ＋１）−ＣＨの送信ビット容量と再送パケット容量を比較する。比較した結果、再送パケット容量が（（Ｘ＋１）−ＣＨの送信ビット容量≧再送パケット容量≧（Ｘ＋１）−ＣＨの送信ビット容量−α）の関係にある場合は、ステップＳ５８に進み、（Ｘ＋１）−ＣＨの新規パケットを再パケット化し、（Ｘ＋１）−ＣＨのタイミングで再送パケットを送信に適していると判断して、Ｘ−ＣＨのタイミングで（Ｘ＋１）−ＣＨの新規パケットを送信し（ステップＳ５９）、（Ｘ＋１）−ＣＨのタイミングでＸ−ＣＨの再送パケットを送信する（ステップＳ６０）。【００５８】
以上の場合以外は、再送パケットの送信に適さないと判断して（Ｎｏ）、ステップＳ６１においてＸ−ＣＨではＸ−ＣＨの新規パケットを送出し、ステップＳ６２において、（Ｘ＋１）−ＣＨでは（Ｘ＋１）−ＣＨの新規パケットを送出する。【００５９】
ステップＳ４２において再送パケットがない場合は（Ｎｏ）、ステップＳ４３において算出されたサブキャリア毎の変調方式・符号化率から送信パケットの送信ビット容量を算出する。ステップＳ４４において、新規データを算出された送信パケット容量になるようにパケット化し、パケット識別フラグに０をセットしてステップＳ４５においてＸ−ＣＨで新規パケットを送信する。【００６０】
以下に、図１２を参照しつつ、具体的に説明を行う。まず基地局からパケット１（ＣＨ１）がＱＰＳＫ分（２００ｂｉｔ）で送信され、移動局において受信失敗の判定がされると、移動局は基地局に対してＮａｃｋ情報（伝搬路推定情報も含む）を通知する。パケット３（ＣＨ３）送信時にパケット１（ＣＨ１）のＮａｃｋ情報を受け取った基地局は、パケット１（ＣＨ１）が再送パケットとして存在するため、移動局からの伝搬路推定情報からサブキャリア毎の変調方式・符号化率を算出し、算出された変調方式符号化率からＣＨ1で送信するパケットの送信ビット容量を算出する。ＣＨ１の送信ビット容量はＢＰＳＫ（１００ｂｉｔ）と算出され、再送パケット１を送信することはできない。次に、算出されているＣＨ４の送信ビット容量と再送パケットの容量とを比較する。【００６１】
ＣＨ４の送信ビット容量はＢＰＳＫ（１００ｂｉｔ）であるため、再送パケットは送信できず、新規パケット４を送信する。新規パケット４の送信時にパケット２（ＣＨ２）のＡＣＫ情報を受信し、伝搬路推定情報から次のＣＨ２での送信ビット容量を算出し、ＣＨ２の送信容量と再送パケット容量とを比較し、この際、ＣＨ２の送信容量はＱＰＳＫ分（２００ｂｉｔ）であるため、再送パケットはＣＨ２のタイミングで送信することができると判断され、ＣＨ１とＣＨ２とを入れ替えて移動局に送信する。このようにチャネルを入れ替えて送信を行うことも可能である。【００６２】
Ｈ−ＡＲＱのような初回パケットと再送パケットとをパケット合成してパケットの信頼性を高める再送方法では、パケット合成する為、若干、再送パケットの信頼性を低くしても良い。送信パケット容量を増やし、１回の送信で再送を終えることが望ましく、再送パケットに利用する変調方式・符号化率を決定する閾値を低く設定して送信パケット容量を増やすことも出来る。【００６３】
以上に説明したように、本発明実施の形態によるパケット再送技術によれば、送信ビット容量を算出して、送信容量から新規パケットと再送パケットとのいずれを送信するかを判定する再送判定処理を、送信ビット容量が許容範囲内でできるだけ大きくなる方向になる基準で行うことにより、伝送効率を良くすることができるという利点がある。さらに、効率良く再送制御を行うことにより、再送遅延を低減できるという利点がある。【００６４】
尚、サブキャリア毎の無線パラメータの適応制御を行うパケット無線通信システムの代わりに、複数のサブキャリアを１つのブロックにまとめてブロック毎に無線パラメータの適応制御を行うパケット無線通信システムに対しても本実施の形態による技術を適用することも可能である。この場合は、１つのブロックを上記サブキャリアと同等に考えて本技術を適用すれば良い。
【産業上の利用可能性】
【００６５】
本発明は、パケット通信を用いる通信装置に適用可能である。
【図１】
2006123471.tif 000002
【図２】
2006123471.tif 000003
【図３】
2006123471.tif 000004
【図４】
2006123471.tif 000005
【図５】
2006123471.tif 000006
【図６Ａ】
2006123471.tif 000007
【図６Ｂ】
2006123471.tif 000008
【図７】
2006123471.tif 000009
【図８】
2006123471.tif 000010
【図９】
2006123471.tif 000011
【図１０】
2006123471.tif 000012
【図１１】
2006123471.tif 000013
【図１２】
2006123471.tif 000014
【図１３】
2006123471.tif 000015
【図１４】
2006123471.tif 000016
【図１５Ａ】
2006123471.tif 000017
【図１５Ｂ】
2006123471.tif 000018
【図１６】
2006123471.tif 000019
【図１７】
2006123471.tif 000020
【図１８】
2006123471.tif 000021
【図１９】
2006123471.tif 000022
【図２０】
2006123471.tif 000023
【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
サブキャリア適応変調により通信を行う無線通信システムであって、無線伝搬路情報に基づいてサブキャリア毎又はブロック毎に変調方式と符号化率とを決定して通信を行う無線通信システムに用いられる送信機において、
前記無線伝搬路情報から決定された前記変調方式と前記符号化率とに基づいて送信容量を算出し、算出された送信容量と再送パケットの送信容量とを比較し、算出された送信容量と再送パケットの送信容量とが近似している場合に再送パケットを送信し、算出された送信容量と再送パケットの送信容量とが近似していない場合に新規パケットを送信することを特徴とする送信機。
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
基地局と移動局とを含み、サブキャリア適応変調により通信を行う無線通信システムにおける基地局であって、
送信データ容量を算出する送信データ容量算出部と、
以前送信したパケットのＡｃｋ／Ｎａｃｋ情報を送る制御情報処理部と、
新規送信データが入力される送信データ制御部であって、前記Ａｃｋ／Ｎａｃｋ情報と、算出された前記送信データ容量と、再送パケットの送信容量と、に基づいて算出された送信容量と再送パケットの送信容量とを比較し、算出された送信容量と再送パケットの送信容量とが近似している場合に再送パケットを送信し、算出された送信容量と再送パケットの送信容量とが近似していない場合に新規パケットを送信する送信データ制御部と、
送信する方のパケットを受けて伝搬路情報に基づく変調方式・符号化率でデータの変調・符号化を行うデータ処理部と、
該データ処理部からのデータを受けてデータ変調された信号を移動局に送信する無線送信部と
を有することを特徴とする基地局。
【請求項１６】
（削除）
【請求項１７】
（削除）
【請求項１８】
（削除）
【請求項１９】
（削除）
【請求項２０】
（削除）
【請求項２１】
サブキャリア適応変調により通信を行う無線通信方法であって、
移動局からの通知されたＡｃｋ／Ｎａｃｋ情報から、再送するパケットがあるか否かを確認するステップと、
移動局から通知される伝搬路情報に基づいてサブキャリア毎又はブロック毎の変調方式・符号化率を算出するステップと、
算出されたサブキャリア毎の変調方式・符号化率から送信パケットの送信ビット容量を算出するステップと、
算出された送信ビット容量と再送パケット容量とを比較し、算出された送信容量と再送パケットの送信容量とが近似している場合に再送パケットを送信し、算出された送信容量と再送パケットの送信容量とが近似していない場合に新規パケットを送信するステップと
を有することを特徴とする無線通信方法。
【国際調査報告】
2006123471.tif 000024
2006123471.tif 000025
2006123471.tif 000026
2006123471.tif 000027